(57)【要約】      （修正有）【課題】一般の個人が作詞作曲してもレコードやＣＤなど商品化してくれる企業が無く楽譜も読めない一般の個人の作詞作曲を指導し作品完成まで教育してくる機関が無い、また発表曲を組み入れた催事立案が出来ず提案も出来なかった。【解決手段】肉声を音符に変換し楽器演奏し編曲などをして音楽レコードや録音ＣＤなどを製作する技能教育と製作代行、催事企画実施代行をも併せて行う技能者養成教育システム。【選択図】図１
2006030925.tif 000002
【特許請求の範囲】
【請求項１】
肉声歌をパソコンや作曲家が音譜に変換し楽器演奏し編曲などをして音楽レコードやＣＤ録音テープなどを制作する技能教育と製作を併せて行なう製作代行専門企業。
【請求項２】
催事記念昔話などの自費音楽出版朗読レコードＣＤ製作に関する制作技能、発表会など催事企画実施に関する通信や面接による技能者養成教育システム。
【請求項３】
請求項１．２の録音録画撮影スタジオと機器のレンタルや催事企画実施代行と製作した製品の通信販売や面接販売企業。
【発明の詳細な説明】
【技術分野】
【０００１】  本案は、自費で自分が創作した歌を音譜変換カラオケ録音盤などを製作出版したい。作詞した記念の歌を製作したいなどの人の指導と製作代行する企業です。
また、方言集や朗読，自然天然植物音声埋蔵古歌などの録音物製作技能者の養成と普及販売や発表会を企画立案代行または実施代行するシステムです。
【背景技術】
【０００２】  従来、自費出版と言えば（楽譜出版）書籍です。本発明は音楽録音物の自費出版製作代行企業の発明製作システムです。同種の企業は見当たりません。
また、楽譜の読めない人の創作歌のレコード録音物の製作指導機関や製作技能者養成事業を組み込んだ教育機関もありません。なお、発表会や販売方法までシステム化された自費音楽録音物出版を事業内容とした企業も見当たりません。
【発明が解決しようとする課題】
【０００３】  第一の課題は従来無かった、自作の歌を自費で音楽出版レコード出版する制作専門代行業があること、楽譜が読めない人でも肉声で作曲できることを知らせる。
第二の課題は、楽譜が読めない人の歌肉声を音譜変換演奏しレコードやＣＤを制作出版するための技能指導や技能者養成教育機関の確立です。
第三の課題は自費製作した音楽の発表の場を作ること，製作したコードやＣＤなどの販売システム、自費音楽製作技能修得者の活用方法とパソコンや録音録画機器を活用したシステムの確立です。
【課題を解決するための手段】
【０００４】  第一の課題を解決するため、インターネットを始め音楽専門外大学や市区町村のシルバー大学、養護施設、公共、学校図書館などにＰＲ活動を展開します。
第二の課題は、記念歌作り「ご当地ソング」作りを含め楽譜が読めない人に対しての指導と音楽製作技能者養成講座を通信と面接の方法で開講します。
第三の課題は自費製作した音楽の発表の場をインターネットを始め、「郷土史歌作曲会員」の組織をつくり、町興しや催事情報を入手し実施します。また、このことにより音楽製作技能修得者の技能が発揮できます。
【発明を実施するための最良の形態】
【０００５】  発明の実施形態を図面により説明します。
図  １，自費音楽出版レコードＣＤ製作代行専門会社の事業システム説明図
（１）から（４）は作詞肉声作曲肉声歌を制作するシステムです。（５）から（７）までは音譜変換，デモテープ作成編曲をし作曲を完了します。（８）（９）でカラオケが完成します。（１０）から（１２）で歌の吹き込みを完了します。
（１３）から（１８）は量産と商品の製作システムです。
図  ２，肉声歌の作詞作曲レコードＣＤ製作技能と音楽発表会など催事企画立案実施
代行技能者を養成する通信および面接による教育システムの説明図です。
イ．ロ．ハ．ニ．は肉声歌創作技能教育。ホ．ヘ．ト．チは歌い手指導・歌唱教育、▲１▼の商品の製作は代行業者依頼事項となります。▲２▼は製作した製品の発表会と催事の企画立案技能，実施代行技能者を養成する講座をおこないます。
催事には音楽は切っても切れない関係から「催事代行技能者」は，「商品の販売」活動が有利に展開できるシステムです。
【発明の効果】
【０００６】    本発明は上述のとおりであります。
【０００７】  本発明は楽譜が読め書けなければできないと思われていた作曲が、歌える人なら誰にでも作れる道を開いたこと。自分で作った歌のカラオケに歌手の歌を吹き込み趣味の範囲を超え商品が作れる道を開いたこと。老若男女職業に関係無く何時でも作曲でき製作できるシステムを専門企業として確立した効果です。
このことにより歌作り作詞作曲の世界は万人のものとなりました。新しい歌が，曲が、そして朗読、天然自然動植物魚介類の音楽まで誕生するでしょう。
また地名や観光物を題材にした歌が多く作られるでしょう。このことは村興し町おこしにも大きな効果をあげることができるものと信じます。
【図面の簡単な説明】
【０００８】図１，肉声歌からカラオケ製作⇒歌手・歌吹き込み⇒レコードＣＤなど商品製作に関する工程をシステム化した製作代行企業化の説明図です。
図２，肉声歌の作詞・作曲レコードＣＤなど商品製作、商品の発表催事企画立案代行に関する技能者養成教育システムの説明図です。
【符号の説明】
図１、（１）から（１８）の符号。
図２、イ．からチ．。と▲１▼販売商品。▲２▼発表会・催事技能講座の符号です。
【図１】
2006030925.tif 000003
2006030925.tif 000004
【図２】
2006030925.tif 000005
【手続補正書】
【提出日】平成16年9月29日(2004.9.29)
【手続補正１】
【補正対象書類名】明細書
【補正対象項目名】０００８
【補正方法】変更
【補正の内容】
【０００８】【図面の簡単な説明】【図１】肉声歌からレードＣＤなど商品の原盤製作までの自費音楽出版製作代行会社の事業システムと工程別の説明図です。【図２】自費音楽出版製品の装丁と販売商品製作の宣伝と包装に関する関する音楽出版製作代行会社の事業システムと工程別の説明図です。【図３】郷土ソング埋没ソングの発掘製作法の指導システム。自費音楽出版の発表会や作詞作曲商品の発表と販売方法の企画立案技能。いろいろな催事の企画管理者養成講座とその事業システム図です。【符号の説明】「図１」（１）と（２）は広告と受注業務図。  （３）と（４）は肉声作曲指導の図。（５）肉声曲の楽譜制作代行。      （６）と（７）テープによる指導教育。（８）と（９）はカラオケ製作代行図。（１０）から（１２）は歌唱指導と歌の吹き込み代行。（１３）でレードＣＤなど商品の原盤を製作代行します。「図２」（１）と（２）は商品原盤の著作権登録代行の図。（３）と（４）は商品の包装や広告野印刷物なとの製作代行の図。（５）は商品を原盤から量産する図。（６）は商品の包装の図です。「図３」イ．からニ．は、郷土ソング埋没そソング製作の指導教育と製作代行のシステム図です。ホ．からチ．は、郷土ソング埋没そソングの編曲歌唱指導吹き込み原盤の製作に関する指導教育と製作代行のシステム図です。▲３▼は▲１▼、▲２▼をふくめた、いろいろな催事の企画立案と管理技能者養成講座のシステム図です。【手続補正２】
【補正対象書類名】図面
【補正対象項目名】全図
【補正方法】変更
【補正の内容】
【書類名】図面    【図１】2006030925.tif 000006
【図２】2006030925.tif 000007
【図３】2006030925.tif 000008